(57)【要約】　　　（修正有）【課題】複数の監視対象について複数台の操作監視端末を備えたシステムにおいて、一つの操作監視端末が１〜複数箇所の監視対象を可変に受け持ち監視することができる監視切替制御方法を実現することである。【解決手段】操作監視端末２ｃの表示処理手段２５は、要求端末２ｂの監視対象であるサブシステム１ｂの監視ポイントと、自身の監視対象である１ｃの監視ポイントの中から、操作監視端末２ｃ内の監視ポイント優先順位記憶手段２６に記憶されている優先順位データで、優先順位の高い監視対象（サブシステム１ｂ）を選定し、同じく操作監視端末２ｃの監視ポイント表示データ２７に基づき、監視画面を再生成して同じく同端末２ｃの表示部２４に出力する。これにより、要求があった操作監視端末２ｂの監視対象の監視対象ポイントと、本来の監視対象の監視対象ポイントが統合表示された監視画面となり、両方の監視対象を監視可能となる。【選択図】　　図２
2004126730.tif 000002
【特許請求の範囲】
【請求項１】
複数の監視対象と、前記複数の監視対象の各々に対して備えられた操作監視端末と、前記複数の操作監視端末同士を接続する通信ネットワークにより構成される操作監視システムにおいて、
前記操作監視端末は、表示手段と、操作手段と、前記監視対象との間で状態情報及び制御指示情報をやりとりする入出力処理手段と、前記状態情報及び制御指示情報を他の操作監視端末に伝送するための情報伝送処理手段と、前記状態情報を前記表示部へ送出して表示する制御を行うとともに、前記操作部から入力される前記制御指示情報に基づき所定の制御を行う制御処理手段とを備えてなり、
自己の監視対象を監視中に、ネットワークで接続された他の操作監視端末より制御指示情報を受信した場合、自己の監視対象に加えて前記他の操作監視端末に対応する監視対象を統合監視することを特徴とする操作監視端末の監視切替制御方法。
【請求項２】
前記複数の監視対象の優先順位を記憶する優先順位記憶手段を備えてなり、任意で設定される監視対象数に基づき、前記自己の監視対象と前記優先順位のより高い監視対象を統合監視することを特徴とする請求項１記載の操作監視端末の監視切替制御方法。
【発明の詳細な説明】
【０００１】
【発明の属する技術分野】
本発明は、複数の監視対象についてそれぞれ手動操作および監視業務を行う複数台の操作監視端末が存在するシステムに関し、特に状況に応じて１つの操作監視端末で複数箇所の監視対象を可変に受け持たせ、監視制御する監視切替制御方法に関する。
【０００２】
【従来の技術】
従来、この種の監視システムにおいては、サブシステムなどの監視対象ごとに固定的に操作監視端末を設置することになる。以下、図面を参照して簡単に説明する。
【０００３】
従来例のシステムは、各々機能的に独立した３つのサブシステム１〜３で構成されている。そしてサブシステム１〜３には、それぞれを監視するための操作監視端末Ａ〜Ｃが設置され、各操作監視端末は固定的に割り当てられたサブシステムの状態のみ常時監視している。
【０００４】
特開平５−５６４８１号公報「制御監視方式」に記載の技術では、このような複数のサブシステムに対して一対一で監視端末を配するシステムの課題を解消すべく、複数の現用監視制御装置と１台の予備用制御監視装置を設け、手動または障害信号に基づく自動切り替え機能により、現用制御監視装置のいずれをも代替可能な共通予備用制御監視装置を備える冗長制御監視方式について述べられている。
【０００５】
【発明が解決しようとする課題】
しかしこのシステムにおいても、少なくとも現用の監視端末ごとに監視業務を行う運用者を配置し監視体制を整備する必要があり、人手が増えるという問題が生じる。特に２４時間監視を要するシステムにおいては、人手の増加は深刻な問題となる。
【０００６】
本発明の操作監視端末の監視制御切替方法では、複数の監視対象についてそれぞれ手動操作および監視業務を行う複数台の操作監視端末を備えたシステムにおいて、状況に応じ一つの操作監視端末が１〜複数箇所の監視対象を可変に受け持ち監視することができる操作監視端末の監視切替制御方法を実現することにある。
【０００７】
【課題を解決するための手段】
以上の課題を鑑み、本発明の操作監視端末の監視切替制御方法は、複数の監視対象と、前記複数の監視対象の各々に対して備えられた操作監視端末と、前記複数の操作監視端末同士を接続する通信ネットワークにより構成される操作監視システムにおいて、前記操作監視端末は、表示手段と、操作手段と、前記監視対象との間で状態情報及び制御指示情報をやりとりする入出力処理手段と、前記状態情報及び制御指示情報を他の操作監視端末に伝送するための情報伝送処理手段と、前記状態情報を前記表示部へ送出して表示する制御を行うとともに、前記操作部から入力される前記制御指示情報に基づき所定の制御を行う制御処理手段とを備えてなり、自己の監視対象を監視中に、ネットワークで接続された他の操作監視端末より制御指示情報を受信した場合、自己の監視対象に加えて前記他の操作監視端末に対応する監視対象を統合監視することを特徴としている。
【０００８】
さらに、本発明の第二の構成例は、上記構成に加えて前記複数の監視対象の優先順位を記憶する優先順位記憶手段と、前記複数の監視対象毎の表示操作情報を記憶する監視ポイント表示操作情報記憶手段を備えることにより、任意で設定可能な監視対象数に基づき、前記自己の監視対象と前記優先順位のより高い監視対象を統合監視することを特徴としている。
【０００９】
【発明の実施の形態】
以下、本発明の実施形態について、図面を参照して詳細に説明する。
【００１０】
図１に示すように、各々機能的に独立した３つのサブシステム１ａ〜１ｃに対して、一対一で操作監視端末２ａ〜２ｃを設置する。通常、それぞれの操作監視端末２ａ〜２ｃは固定的に割り当てられたサブシステムの状態を監視している。操作監視端末２ａ〜２ｃはＬＡＮ等のネットワーク手段によって相互通信が行えるように構成されている。
【００１１】
次に、図２を用いて、操作監視端末２ｃの詳細な構成を説明する。
操作監視端末２ｃは、監視対象となりサブシステム１ｃとの間で状態情報や制御指示をやりとりする入出力処理手段２１と、これら状態情報・制御内容を他の操作監視端末に伝送するための情報伝送処理手段２２と、状態情報に基づき監視画面を生成し、それを表示部２３へ送出して表示する制御を行うとともに、操作部２４からの操作に基づき所定の制御を行う表示処理手段２５により構成されている。また、表示処理手段は、監視ポイント優先順位記憶手段２６および監視ポイント表示操作データ記憶手段２７を備えている。なお、操作監視端末２ａと２ｂについても同様に構成されていることは言うまでもない。
【００１２】
続いて、本発明の動作につき図面を参照して詳細に説明する。
【００１３】
通常の運用、すなわち各々固定的に割り当てられたサブシステムを監視している状態での動作を図３に示す。サブシステム１ｂから伝送された状態情報１０１は、入出力処理手段２１を介して表示処理手段２５に入力される。表示処理手段２５は、監視ポイント優先順位記憶手段２６記憶された監視サブシステムの優先順位データを参照する。通常の状態では、最も優先度の高い監視サブシステムは本来一対一の関係で設けられている「１ｂ」であるので、監視ポイント表示・操作データ記憶手段２７からサブシステム１ｂの表示・操作データを取り出して生成した監視画面に、状態情報信号２０１から得られる現在の状態を反映させて表示部２３に表示する。（矢印Ａの流れ）。また、操作部２４から入力された制御内容は表示処理手段２５に伝達され、入出力処理手段２１を介して制御指示信号２０２を送出し、サブシステム１ａへ所定の制御指示を行う。
【００１４】
次に、自己の監視対象サブシステムを監視中に、ネットワークで接続された他の操作監視端末より「統合監視」要求指示を受信した場合の動作について図４を参照して説明する。
【００１５】
操作監視端末２ｃが操作監視端末２ｂの監視対象であるサブシステム１ｂの監視も統合して行う例である。「統合監視」を依頼したい操作監視端末２ｂは、「統合監視要求指示」を要求先である操作監視端末２ｃにむけて送出する。この操作監視端末２ｂより発せられた「統合監視要求指示」は、操作監視端末間で情報のやりとりな可能なネットワークにより伝達される。これを受信した操作監視端末２ｃの情報伝送処理手段２２は、同端末の表示処理手段２５に対して、監視画面の再生成を要求する。
【００１６】
操作監視端末２ｃの表示処理手段２５は、要求のあった操作監視端末２ｂの監視対象であるサブシステム１ｂの監視ポイントと、本来の監視対象である１ｃの監視ポイントの中から、操作監視端末２ｃ内の監視ポイント優先順位記憶手段２６に記憶されている優先順位データで、優先順位の高い監視対象（サブシステム１ｂ）を選定し、操作監視端末２ｃの監視ポイント表示データ２７に基づき、監視画面を再生成して同じく同端末２ｃの表示部２４に出力する。
【００１７】
これにより、要求があった操作監視端末２ｂの監視対象の監視対象ポイントと、本来の監視対象の監視対象ポイントが統合表示された監視画面となり、両方の監視対象を監視可能となる。
【００１８】
画面の再生成が完了すると、操作監視端末２ｃは要求元の操作監視端末２ｂに対して、監視準備が整った旨を通知する。これを受信した操作監視端末２ｂは、サブシステム１ｂとの情報の授受を操作監視端末２ｃの入出力処理手段２１→情報伝送処理手段２２→ネットワークを介して、統合監視先の操作監視端末２ｃに伝送する。これにより、統合監視先となった操作監視端末２ｃは、本来の監視対象であるサブシステム１ｃとともに、新たに加わった監視対象のサブシステム１ｂとの情報のやりとりを開始し、以後サブシステム１ｂの監視も担当する。
【００１９】
上述した「統合監視」の状態から、それぞれの操作監視端末２ａ〜２ｃが各々の監視対象を監視する「通常監視」の状態に戻すときには、以下のような手順となる。図４に示した例では、操作監視端末２ｃがサブシステム１ｃおよび１ｂの監視を統合して行っているが、この状態からおのおの通常運用に戻す場合を例として説明する。
【００２０】
まず「統合監視」要求指示を出した操作監視端末２ｂは、サブシステムとの情報のやりとりを操作監視端末２ｂの入出力処理手段→情報伝送処理手段２２→ネットワークを介して、統合監視先の操作監視端末２ｃに伝送しているが、この伝送を中断する（矢印Ａ、Ｂの流れを中止する）。続いて操作監視端末２ｂは「統合監視取り消し」要求指示を、要求先となる監視端末２ｃへむけて送出する。この「統合監視取り消し」要求指示は、操作監視端末間で情報のやりとりが可能なネットワークによって伝達される（図５に示すＬＡＮ手段等）。
【００２１】
これを受信した操作監視端末２ｃの情報伝送処理手段２２は、同端末２ｃの表示処理手段２５に対して監視画面の再生成を要求する。監視画面の再生成要求を受けた表示処理手段２５は、監視ポイント優先順位記憶手段２６および監視ポイント表示・操作データ記憶手段２７から、自身の監視対象のみを選定して監視画面を生成し、操作監視端末２ｃの表示部２３に出力する。これによって、取り消し要求があった操作監視端末２ｂの監視ポイントが解除され、自身の監視対象である１ｃの監視ポイントのみの通常監視状態に戻る。
【００２２】
【発明の効果】
本発明の操作監視端末の監視切替制御方法によって、サブシステムなどの監視対象ごとに操作監視端末を設置した構成で、状況により監視体制を任意に変更（強化および緩和）できるシステムにおいて、１つの操作監視端末で１カ所以上の監視対象を状況に応じて柔軟に変更し監視できるようになり、監視業務を集約することができ、監視業務にかける人手を効率的に低減するという効果を奏する。
【図面の簡単な説明】
【図１】本発明の操作監視端末の監視切替制御方法を適用したサブシステム監視の実施形態を示すブロック図である。
【図２】操作監視端末の詳細構成を示すブロック図である。
【図３】通常状態（操作監視端末がサブシステムを一対一で監視）を示す図である。
【図４】統合監視状態（操作監視端末２ｃがサブシステム１ｂおよび１ｃを監視）を示す図である。
【図５】従来の操作監視端末によるサブシステム監視を示すブロック図である。
【符号の説明】
１　　サブシステム
２　　操作監視端末
２１　　入出力制御手段
２２　　情報伝送処理手段
２３　　表示部
２４　　操作部
２５　　表示処理手段
２６　　監視ポイント優先順位記憶手段
【図１】
2004126730.tif 000003
【図２】
2004126730.tif 000004
【図３】
2004126730.tif 000005
【図４】
2004126730.tif 000006
【図５】
2004126730.tif 000007